(57)【要約】      （修正有）【課題】水がスムーズに外部に流れ出て容器が変形して水がつまることがないペット用飲料水供給器を提供する。【解決手段】接続ヘッドと、ガイド管と、吸い込み管とを含む。接続ヘッドが容器下方に設けられ、ガイド管が接続ヘッドと互いに貫通して接続し、吸い込み管がガイド管下方に位置するように設けられる。ボールが吸い込み管の管口内側に当接するように設けられ、接続ヘッド内にはガイド手段を具えてなり、ガイド手段がパッドであって、パッドには凸出した中空管と少なくとも一以上の孔を具える。中空管の上面と孔が設けられている高がとが異なるため、中空管の上面の高さと孔の高さとの間に落差が形成され、容器外部の空気が吸い込み管から中空管内に進入し、孔により容器内の水が吸い込み管下方へと流れ出て水分をスムーズに流動する。【選択図】図２
0003153751.tif 000002
【実用新案登録請求の範囲】
【請求項１】
接続ヘッドと、ガイド管と、吸い込み管とを含んでなり、
該接続ヘッドが容器下方に設けられ、
該ガイド管が接続ヘッドと互いに貫通して接続し、
該吸い込み管がガイド管下方に位置するように設けられ、内部にボールが吸い込み管の管口内側に当接するように設けられ、
接続ヘッド内にはガイド手段を具えてなり、該ガイド手段がパッドであって、パッドには凸出した中空管と少なくとも一以上の孔を具えてなり、該中空管の上面と孔が設けられている高さが異なり、中空管の上面の高さと孔の高さとの間に落差を有し、容器外部の空気が吸い込み管から中空管内に進入し、孔により容器内の水が吸い込み管下方へと流れ出て水分をスムーズに流動する構造からなることを特徴とするペット用飲料水供給器。
【請求項２】
前記中空管上面の高さが孔が設けられている位置よりも高いことを特徴とする請求項１に記載のペット用飲料水供給器。
【請求項３】
前記パッドが、高さを具えた外周面と、該外周面の外側に設けられた凸縁部とを含んでなり、凸縁部が容器と接続ヘッドが容器と接続ヘッドを互いに押し圧することを特徴とする請求項１に記載のペット用飲料水供給器。
【請求項４】
前記孔が、対称に二つ設けられることを特徴とする請求項１に記載のペット用飲料水供給器。
【考案の詳細な説明】
【技術分野】
【０００１】
この考案は、ペット用飲料水供給器であって、特にペットが飲料水を飲みたい時に容器内の水を供給するペット用飲料水供給器に関する。
【背景技術】
【０００２】
図５は、従来のペット用の飲料水供給器を示したものである。
【０００３】
図面によれば、従来の飲料水供給器１は、接続ヘッド２と、ガイド管３と、吸い込み管４とを含んでなる。
【０００４】
接続ヘッド２は螺旋方式で、一端が容器５の下方に接続して設けられ、ガイド管３と接続ヘッド２の他端とが互いに貫通して接続する。
【０００５】
吸い込み管４はガイド管３の下方に位置するように設けられ、吸い込み管４の末端内側には  ボール６が吸い込み管４の管口内に当接して設けられる。
【０００６】
ペットが飲料水を飲む場合、該吸い込み管４の末端を口に含みボールを舐めて動かすと、容器内部の水がガイド管３と吸い込み管４を伝って流れ出て飲料水が供給される。
【０００７】
しかしながら、容器５内部の水分はしばしば流れ出ることができない。
【０００８】
容器５の外部の空気の圧力が容器５内の圧力と均衡でないため、スムーズに内部の水分が流れ出ることができないか、或いはペットが吸い込み管から飲料水を飲むために吸い込むと容器５が扁平に変形するなど飼い主にとって不便だった。
【考案の開示】
【考案が解決しようとする課題】
【０００９】
この考案は、水がスムーズに外部に流れ出て容器が変形して水がつまることがないペット用飲料水供給器を提供することを課題とする。
【課題を解決するための手段】
【００１０】
そこで、本考案者は従来の技術に見られる欠点に鑑みて鋭意研究を重ねた結果、接続ヘッドと、ガイド管と、吸い込み管とを含んでなり、
該接続ヘッドが容器下方に設けられ、
該ガイド管が接続ヘッドと互いに貫通して接続し、
該吸い込み管がガイド管下方に位置するように設けられ、内部にボールが吸い込み管の管口内側に当接するように設けられ、
接続ヘッド内にはガイド手段を具えてなり、該ガイド手段がパッドであって、パッドには凸出した中空管と少なくとも一以上の孔を具えてなり、該中空管の上面と孔が設けられている高さが異なり、中空管の上面の高さと孔の高さとの間に落差を有し、容器外部の空気が吸い込み管から中空管内に進入し、孔により容器内の水が吸い込み管下方へと流れ出て水分をスムーズに流動する構造からなるペット用飲料水供給器の構造によって課題を解決できる点に着眼し、かかる知見に基づいて本考案を完成させた。
【００１１】
以下、この考案について具体的に説明する。
請求項１に記載のペット用飲料水供給器は、接続ヘッドと、ガイド管と、吸い込み管とを含んでなり、
該接続ヘッドが容器下方に設けられ、
該ガイド管が接続ヘッドと互いに貫通して接続し、
該吸い込み管がガイド管下方に位置するように設けられ、内部にボールが吸い込み管の管口内側に当接するように設けられ、
接続ヘッド内にはガイド手段を具えてなり、該ガイド手段がパッドであって、パッドには凸出した中空管と少なくとも一以上の孔を具えてなり、該中空管の上面と孔が設けられている高がとが異なるため、中空管の上面の高さと孔の高さとの間に落差が形成され、容器外部の空気が吸い込み管から中空管内に進入し、孔により容器内の水が吸い込み管下方へと流れ出て水分をスムーズに流動する目的を達成することができる構造からなる。
【００１２】
請求項２に記載のペット用飲料水供給器は、請求項１における中空管上面の高さが孔が設けられている位置よりも高い。
【００１３】
請求項３に記載のペット用飲料水供給器は、請求項１におけるパッドが、高さを具えた外周面と、該外周面の外側に設けられた凸縁部とを含んでなり、凸縁部が容器と接続ヘッドが容器と接続ヘッドを互いに押し圧するために供する。
【００１４】
請求項４に記載のペット用飲料水供給器は、請求項１における孔が、対称に二つ設けられる。
【考案の効果】
【００１５】
この考案によるペット用飲料水供給器は、水がスムーズに流れ出てくるため、ペットにも飼い主にも便利で実用的であるという効果を有する。
【考案を実施するための最良の形態】
【００１６】
この考案は、水がスムーズに外部に流れ出て容器が変形して水がつまることがないペット用飲料水供給器であって、接続ヘッドと、ガイド管と、吸い込み管とを含んでなり、
該接続ヘッドが容器下方に設けられ、
該ガイド管が接続ヘッドと互いに貫通して接続し、
該吸い込み管がガイド管下方に位置するように設けられ、内部にボールが吸い込み管の管口内側に当接するように設けられ、
接続ヘッド内にはガイド手段を具えてなり、該ガイド手段がパッドであって、パッドには凸出した中空管と少なくとも一以上の孔を具えてなり、該中空管の上面と孔が設けられている高さが異なり、中空管の上面の高さと孔の高さとの間に落差を有し、容器外部の空気が吸い込み管から中空管内に進入し、孔により容器内の水が吸い込み管下方へと流れ出て水分をスムーズに流動する構造からなるペット用飲料水供給器の構造と特徴を詳述するために具体的な実施例を挙げ、図示を参照にして以下に説明する。
【実施例】
【００１７】
図２から図４は、この考案のペット用飲料水供給器のガイド手段を示したものである。
【００１８】
図面によれば、飲料水供給手段１０は、容器２０下方に接続して設けられる。
【００１９】
該飲料水供給手段１０は、接続ヘッド１１と、ガイド管１２と、吸い込み管１３とを含んでなる。
【００２０】
該接続ヘッド１１は、螺旋方式で容器下方に接続される。
【００２１】
容器２０は、開口２１を具えてなり、該開口２１の外側に設けられたネジ溝は接続ヘッド１１の内側と螺接するために供する。
【００２２】
ガイド管１２と接続ヘッド１１とは互いに貫通して接続し、ガイド管１２と接続ヘッド１１は斜め方向に挟角を具えてなる。
【００２３】
吸い込み管１３は、ガイド管１２の下方に位置するように設けられる。吸い込み管１３は中空で末端に設けられたボール１４が吸い込み管１３の管口内側に当接する。
【００２４】
接続ヘッド１１は、内部にガイド手段３０を具えてなる。
【００２５】
該ガイド手段３０は、ゴムか、或いはプラスチックから形成したパッド３１であって、パッド３１が略キャップ状を呈し、高さを具えた外周面３２と、該外周面３２の外側に設けられた凸縁部３３とを含んでなる。
【００２６】
該凸縁部３３は容器２０と接続ヘッド１１とを押し圧するために供する（或いはパッドを外周面及び凸縁部のない円形の片体に形成してもよい）。
【００２７】
パッド３１は、中央に凸出した中空管３４を設ける。
【００２８】
該中空管３４は、高さを具え、中空管３４と外周面３２との間には二つの孔３５が設けられる。
【００２９】
中空管３４は上面と孔３５が設けられている位置の高さが異なり、中空管３４上面が孔３５の設けられている位置よりも高いため、中空管３４上面の高さと孔３５との高さには落差が形成される。
【００３０】
上述の部材を組み合わせてこの考案のペット用飲料水供給器を形成する。
【００３１】
パッド３１の中空管３４の高さと孔３５との高さに落差があり、中空管３４の上面の高さが孔３５の高さより高いため、容器２０の外部の空気が吸い込み管１３から中空管３４の内部に進入する。
【００３２】
孔３５から容器２０内の水分が吸い込み管１３の下へと流れ出てスムーズに水分が流動される。
【００３３】
中空管３４上面の水圧が孔３５の水圧よりも小さいため、外部の空気が吸い込み管１３から中空管３４の内部に進入すると、中空管３４に先に空気が入り容器２０ないの空気圧が平行になる。
【００３４】
容器２０内の水が孔３５から流れ出てペットがスムーズに吸い込み飲用することができる。
【００３５】
この考案の飲料水供給器は、中空管３４の上面の高さが孔３５の高さより高いため落差が形成され、中空管３４上面と孔３５との水圧が異なる。
【００３６】
よって、中空管３４から空気が進入して水が孔３５から下へと流れ出る。
【００３７】
ペットが水を飲用する場合、ペットがボール１４を常に舐めるだけで、スムーズに水が下方向に流動するため、吸い込みが困難になるか、或いは容器が変形してつまるなどの状況が発生することがない。２
【００３８】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００３９】
【図１】この考案のペット用飲料水供給器の飲料水供給手段を示した分解図である。
【図２】この考案のペット用飲料水供給器の飲料水供給手段の一部を示した拡大図である。
【図３】この考案のペット用飲料水供給器の飲料水供給手段と容器とを組み合わせた状態を示した説明図である。
【図４】この考案のペット用飲料水供給器を示した断面図である。
【図５】従来のペット用飲料水供給器を示した断面図である。
【符号の説明】
【００４０】
１         飲料水供給器
１０       飲料水供給手段
１１       接続ヘッド
１２       ガイド管
１３       吸い込み管
１４       ボール
２         接続ヘッド
２０       容器
２１       開口
３         ガイド管
３０       ガイド手段
３１       パッド
３２       外周面
３３       凸縁部
３４       中空管
３５       孔
４         吸い込み管
５         容器
６         ボール
【図１】
0003153751.tif 000003
【図２】
0003153751.tif 000004
【図３】
0003153751.tif 000005
【図４】
0003153751.tif 000006
【図５】
0003153751.tif 000007